(57)【要約】【課題】簡易な構成で、容易に操作でき、誤動作を低減できる携帯情報端末を提供することを目的とする。【解決手段】本体部１１０と情報を表示する半透過光学素子１０２とを備える携帯情報端末１００であって、本体部１１０と半透過光学素子１０２との少なくとも一方の３ヶ所以上の位置に接触センサ１２０ａ、１２０ｂ、１２０ｃ、１２０ｄが設けられ、接触センサ１２０ａ、１２０ｂ、１２０ｃ、１２０ｄは、使用者ＯＢＳが３ヶ所以上の接触センサ１２０ａ、１２０ｂ、１２０ｃ、１２０ｄを略同時に接触したときに、携帯情報端末１００の特定の機能、例えばマナーモードを動作させる。【選択図】        図２−１
2006121571.tif 000002
【特許請求の範囲】
【請求項１】
本体部と情報を表示する光学素子とを備える携帯情報端末であって、
前記本体部と前記光学素子との少なくとも一方の３ヶ所以上の位置に接触センサが設けられ、
前記接触センサは、使用者が３ヶ所以上の前記接触センサを略同時に接触したときに、前記携帯情報端末の特定の機能を動作させることを特徴とする携帯情報端末。
【請求項２】
前記本体部は、４つの側面を備える略直方体形状を有し、
前記接触センサは、４つの前記側面に設けられていることを特徴とする請求項１に記載の携帯情報端末。
【請求項３】
前記携帯情報端末は、さらに、
所定の情報を表示する電子情報表示部と、
前記電子情報表示部に表示された情報を実視野に重畳的に表示する半透過光学素子とを有することを特徴とする請求項１または請求項２に記載の携帯情報端末。
【請求項４】
本体部と情報を表示する光学素子とを備える携帯情報端末であって、
前記本体部は、所定軸の周りに回転対称な形状を前記所定軸に略平行な平面で切り取った形状を有し、
前記本体部と前記光学素子との少なくとも一方に接触センサが設けられ、
前記接触センサは、使用者が所定割合以上の領域の前記接触センサを略同時に接触したときに、前記携帯情報端末の特定の機能を動作させることを特徴とする携帯情報端末。
【請求項５】
前記接触センサは、輪帯形状を有していることを特徴とする請求項４に記載の携帯情報端末。
【請求項６】
前記接触センサは、離散的に点在するように設けられていることを特徴とする請求項４または請求項５に記載の携帯情報端末。
【発明の詳細な説明】
【技術分野】
【０００１】
本発明は、携帯情報端末に関し、特に特定の機能のオンまたはオフの操作方法に係る携帯情報端末に関するものである。
【背景技術】
【０００２】
従来、情報化社会の発達に伴い、携帯情報端末、例えば携帯電話機が非常に多く用いられるようになっている。そして、技術改良が進み、携帯情報端末のさらなる小型化、軽量化がなされている。このため、使用者が移動する際に、携帯情報端末をバックの中、またはポケットの中等に納めることが多い。移動時等に携帯電話機をバックの中やポケットに収納する場合、操作スイッチがバックの内容物や思わぬものに接触してしまうことがある。この結果、携帯電話機が使用者の意図とは関係ない動作をしてしまうこと、即ち誤動作をすることがある。このような誤動作を防止する構成が提案されている（例えば、特許文献１参照。）。特許文献１に提案されている構成では、圧力センサと温度センサとの２種類のセンサを用いている。圧力センサは、使用者の指の接触圧を検出する。温度センサは、使用者の指の体温を検出する。これら、異なる複数の検出結果に基づいて、特定の機能のオン（ＯＮ）またはオフ（ＯＦＦ）を判断している。
【０００３】
【特許文献１】特開平１１−２３９２０１号公報
【発明の開示】
【発明が解決しようとする課題】
【０００４】
しかしながら、特許文献１の構成では、上述のように異なる２種類のセンサ、即ち圧力センサと温度センサとを用いている。このため、携帯情報端末の構成要素が多くなってしまう。また、使用者は、温度センサ、圧力センサが設けられている位置を認識したうえで指を当接させる。そして、使用者は、この状態でＯＮ動作またはＯＦＦ操作を行なう必要がある。このため、使用者は、温度センサの位置、圧力センサの位置を認識しなければならず煩雑である。
【０００５】
本発明は、上記に鑑みてなされたものであって、簡易な構成で、容易に操作でき、誤動作を低減できる携帯情報端末を提供することを目的とする。
【課題を解決するための手段】
【０００６】
上述した課題を解決し、目的を達成するために、第１の本発明によれば、本体部と情報を表示する光学素子とを備える携帯情報端末であって、本体部と光学素子との少なくとも一方の３ヶ所以上の位置に接触センサが設けられ、接触センサは、使用者が３ヶ所以上の接触センサを略同時に接触したときに、携帯情報端末の特定の機能を動作させることを特徴とする携帯情報端末を提供できる。
【０００７】
また、本発明の好ましい態様によれば、本体部は、４つの側面を備える略直方体形状を有し、接触センサは、４つの側面に設けられていることが望ましい。
【０００８】
また、本発明の好ましい態様によれば、携帯情報端末は、さらに、所定の情報を表示する電子情報表示部と、電子情報表示部に表示された情報を実視野に重畳的に表示する半透過光学素子とを有することが望ましい。
【０００９】
また、第２の本発明によれば、本体部と情報を表示する光学素子とを備える携帯情報端末であって、本体部は、所定軸の周りに回転対称な形状を所定軸に略平行な平面で切り取った形状を有し、本体部と光学素子との少なくとも一方に接触センサが設けられ、接触センサは、使用者が所定割合以上の領域の接触センサを略同時に接触したときに、携帯情報端末の特定の機能を動作させることを特徴とする携帯情報端末を提供できる。
【００１０】
また、本発明の好ましい態様によれば、接触センサは、輪帯形状を有していることが望ましい。
【００１１】
また、本発明の好ましい態様によれば、接触センサは、離散的に点在するように設けられていることが望ましい。
【発明の効果】
【００１２】
第１の本発明によれば、本体部と光学素子との少なくとも一方の３ヶ所以上の位置に接触センサが設けられている。接触センサとして、例えば、圧力センサを用いることができる。そして、接触センサは、使用者が３ヶ所以上の接触センサが略同時に接触したことを検出する。例えば、カバンの中の物が、３ヶ所以上の異なる位置に設けられている接触センサに、略同時に接触する可能性は極めて低い。従って、使用者が意図しないような誤動作を低減できる。また、使用者は、カバンの中やポケット内に納められている携帯情報端末を、視覚による確認を経ないで、手探りで特定の機能のＯＮ、ＯＦＦの操作ができる。本発明では、３ヶ所以上に圧力センサが設けられている。従って、使用者が手探りの状態においても、携帯情報端末を把持した状態で３ヶ所以上の接触センサに手のひらの部分や指を容易に当接できる。さらに、本発明では、１種類の接触センサのみを用いれば良い。従って、携帯情報端末の構成を簡素化できる。
【００１３】
また、第２の本発明では、本体部は、所定軸の周りに回転対称な形状を所定軸に略平行な平面で切り取った形状を有している。本体部は、例えば、ラグビーボール形状や玉子形状を、その回転対称軸に平行な平面で切り取った半球のような形状である。そして、本体部の表面には、接触センサが設けられている。使用者は、例えば、半球の玉子形状の本体部を把持する。ここで、接触センサは、接触センサの全体の領域に対する所定の割合以上の領域が略同時に指で接触されたとき、特定の機能を動作させる。カバンの中の物が、半球の玉子形状の表面の所定割合以上の領域の接触センサに略同時に接触する可能性は極めて低い。従って、使用者が意図しないような誤動作を低減できる。また、使用者は、手探りの状態においても、携帯情報端末を把持した状態で所定割合以上の領域の接触センサに手のひらの部分や指で容易に当接できる。さらに、本発明では、１種類の接触センサのみを用いれば良い。従って、携帯情報端末の構成を簡素化できる。
【発明を実施するための最良の形態】
【００１４】
以下に、本発明に係る携帯情報端末の実施例を図面に基づいて詳細に説明する。なお、この実施例によりこの発明が限定されるものではない。
【実施例１】
【００１５】
図１は、本発明の実施例１に係る携帯情報端末１００の概略構成を示す。使用者ＯＢＳは、携帯情報端末１００を用いて観察物ＯＢＪを観察する。携帯情報端末１００は、本体部１１０と、半透過光学素子１０２とを有する。さらに、本体部１１０は、撮像部１０４と、電子情報表示部１０１とを備えている。撮像部１０４として、小型カメラを用いることができる。電子情報表示部１０１として、液晶表示パネルや有機ＥＬパネルを用いることができる。また、半透過光学素子１０２は、ホログラム素子やハーフミラーを用いることができる。半透過光学素子１０２は、光学素子に対応する。これにより、携帯情報端末１００は、いわゆるシースルービュアーを構成する。
【００１６】
図２−１、図２−２は、携帯情報端末１００の斜視図である。携帯情報端末１００は、さらに、テン（１０）キー１３０を備えている。テンキー１３０は、数字キー、記号キー、アルファベットキー等から構成される。また、半透過光学素子１０２は、観察物ＯＢＪからの光を透過し、電子情報表示部１０１からの光を使用者ＯＢＳの方向へ反射する。これにより、半透過光学素子１０２は、電子情報表示部１０１に表示された情報を観察物ＯＢＪの実視野に重畳的に表示する。
【００１７】
図３−１は、携帯情報端末１００を上面から見た構成を示す。図３−２は、携帯情報端末１００の断面構成を示す。撮像部１０４は、光学レンズ（不図示）と、撮像デバイス（不図示）とから構成されている。撮像デバイスは、例えば２次元ＣＣＤを用いることができる。撮像部１０４は、実視野の観察物ＯＢＪ等を撮像する。
【００１８】
また、図３−２に示すように、使用者ＯＢＳは、半透過光学素子１０２を透過して観察物ＯＢＪを実視野で観察する。同時に、電子情報表示部１０１に表示された情報の像は、半透過光学素子１０２により使用者ＯＢＳの方向へ反射される。これにより、使用者ＯＢＳは、観察物ＯＢＪを実視野で観察しつつ、重畳して表示された情報を認識できる。
【００１９】
携帯情報端末１００の本体部１１０は、図３−１に示すように、４つの側面を備える略直方体形状を有している。そして、３つの側面には、それぞれ接触センサ１２０ａ、１２０ｂ、１２０ｃが設けられている。接触センサ１２０ａ、１２０ｂ、１２０ｃとして、例えば圧力センサを用いることができる。接触センサ１２０ａ、１２０ｂ、１２０ｃは、使用者ＯＢＳが手のひらや指で携帯情報端末１００に触ったことを検出する。このとき、帯状の接触センサ１２０ａ、１２０ｂ、１２０ｃのそれぞれの全体の領域に接触する必要はない。例えば、帯状の接触センサ１２０ａのいずれかの部分に手のひらや指が接触すれば良い。さらに、使用者ＯＢＳが３ヶ所以上の接触センサを略同時に接触したとき、携帯情報端末１００の特定の機能を動作させるように構成されている。
【００２０】
図４は、本実施例における操作手順を示すフローチャートである。ステップＳ３０１において、３つ以上の接触センサ１２０ａ、１２０ｂ、１２０ｃに接触したか（ＯＮ）、否かが判断される。ステップＳ３０１の判断結果が真（Ｙｅｓ）のとき、ステップＳ３０２へ進む。ステップＳ３０２において、接触センサ１２０ａ、１２０ｂ、１２０ｃが所定の圧力値以上で接触されたか、否かが判断される。ステップＳ３０２の判断結果が真のとき、ステップＳ３０３へ進む。ステップＳ３０３において、特定の機能がＯＮされる。特定の機能として、例えば、呼び出し音、着信音などを消音させるモード、いわゆるマナーモードを挙げることができる。その後は、ステップＳ３０４において、携帯情報端末１００が電源ＯＮの状態で使用される。また、ステップＳ３０１の判断結果が偽（Ｎｏ）のとき、ステップＳ３０４へ進み、そのままの使用モードが維持される。さらに、ステップＳ３０２の判断結果が偽（Ｎｏ）のとき、ステップＳ３０４へ進み、そのままの使用モードが維持される。
【００２１】
ここで、使用者ＯＢＳは、携帯情報端末１００をカバンの中に納めている状態を考える。この状態において、使用者ＯＢＳが携帯情報端末１００をマナーモードに設定したいときは、手探りの状態で携帯情報端末１００の本体部１１０を所定の強さで握る動作を行なう。これにより、使用者ＯＢＳの手のひら、指が接触センサ１２０ａ、１２０ｂ、１２０ｃに接触する。従って、３ヶ所以上の接触センサ１２０ａ、１２０ｂ、１２０ｃを略同時に接触したことが検出される。これに対して、カバンの中の物が、３ヶ所以上の異なる位置に設けられている接触センサ１２０ａ、１２０ｂ、１２０ｃに略同時に接触する可能性は極めて低い。従って、使用者ＯＢＳが意図しないような誤動作を低減できる。このように、使用者ＯＢＳは、例えば、カバンの中やポケット内に納められている携帯情報端末１００を、視覚による確認を経ないで、手探りでマナーモードの設定操作ができる。
【００２２】
さらに、３つの側面のそれぞれに、つまり３ヶ所以上に接触センサ１２０ａ、１２０ｂ、１２０ｃが設けられている。従って、使用者ＯＢＳが手探りの状態においても、携帯情報端末１００を把持した状態で３ヶ所以上の接触センサ１２０ａ、１２０ｂ、１２０ｃに手のひらの部分や指を容易に当接できる。さらに、本実施例では、手のひらや指の接触の検出に加えて、所定値以上の圧力値で接触したことで特定の機能をＯＮしている。これにより、使用者ＯＢＳがマナーモードに設定するという意図を持って、ある程度の強さで本体部１１０を握ったときに機能をＯＮできる。このため、さらに誤動作を低減できる。
【００２３】
また、本実施例では、１種類の接触センサのみを用いれば良い。従って、携帯情報端末１００の構成を簡素化できる。なお、本実施例では、接触センサ１２０ａ、１２０ｂ、１２０ｃに接触することで、マナーモード機能をＯＮにしている。しかしこれに限られず、接触センサ１２０ａ、１２０ｂ、１２０ｃに接触することで、特定の機能を解除する構成、例えばマナーモードをＯＦＦする構成でも良い。
【００２４】
（変形例）
本実施例の変形例について説明する。上記実施例１では、特定の機能としてマナーモードの機能のＯＮ、ＯＦＦを例に説明している。本変形例では、特定の機能として、電子情報表示部１０１の画面の明るさを調整する。本変形例では、使用者ＯＢＳが本体部１１０を握る力に応じて、電子情報表示部１０１の画面の明るさを変化させることができる。図３−１は、携帯情報端末１００をシースルービュアーとして使用するとき、使用者ＯＢＳが右手で本体部１１０を把持している状態を示す。使用者ＯＢＳは、図３−１に示すような携帯情報端末１００の使用状態において、自然な状態で３ヶ所の接触センサ１２０ａ、１２０ｂ、１２０ｃに手のひら及び指で触ることができる。図４のフローチャートで説明したように、接触センサ１２０ａ、１２０ｂ、１２０ｃに接触した圧力値も検出できる。ここで、制御部（不図示）は、使用者ＯＢＳが本体部１１０を握る圧力値に応じて、電子情報表示部１０１の画面の明るさを調整する。
【００２５】
本変形例によれば、使用者ＯＢＳは、携帯情報端末１００をシースルービュアーとして使用する状態において、本体部１１０を所望の強さで握るという簡易な操作で、電子情報表示部１０１の画面の明るさを調整できる。また、携帯情報端末１００を把持した状態で、単に本体部１１０を握るという動作で良い。このため、誤動作を低減できる。
【実施例２】
【００２６】
図５−１、図５−２は、本発明の実施例２に係る携帯情報端末２００の斜視構成を示す。本実施例の携帯情報端末２００は、いわゆるストレートタイプの携帯電話機である。携帯情報端末２００は、本体部２１０と、液晶画面部２０２とを有する。液晶画面部２０２は、光学素子に対応する。さらに、携帯情報端末２００は、テンキー１３０を備えている。テンキー１３０は、数字キー、記号キー、アルファベットキー等から構成される。
【００２７】
携帯情報端末２００の本体部２１０は、４つの側面を備える略直方体形状を有している。そして、４つの側面には、それぞれ接触センサ２２０ａ、２２０ｂ、２２０ｃ、２２０ｄが設けられている。接触センサ２２０ａ、２２０ｂ、２２０ｃ、２２０ｄとして、例えば圧力センサを用いることができる。４つの接触センサ２２０ａ、２２０ｂ、２２０ｃ、２２０ｄは、それぞれ４つの側面の全体にわたって連続して設けられている。
【００２８】
接触センサ２２０ａ、２２０ｂ、２２０ｃ、２２０ｄは、使用者ＯＢＳが手のひらや指で携帯情報端末を触ったことを検出する。このとき、帯状の接触センサ２２０ａ、２２０ｂ、２２０ｃ、２２０ｄのそれぞれの全体の領域に接触する必要はない。例えば、帯状の接触センサ２２０ａのいずれかの部分に手のひらや指が接触すれば良い。さらに、使用者ＯＢＳが３ヶ所以上の接触センサを略同時に接触したとき、携帯情報端末２００の特定の機能を動作させるように構成されている。
【００２９】
使用者ＯＢＳが、携帯情報端末２００をカバンの中に納めている状態を考える。この状態において、使用者ＯＢＳが携帯情報端末２００をマナーモードに設定したいときは、手探りの状態で携帯情報端末２００の本体部２１０を所定の強さで握る動作を行なう。これにより、使用者ＯＢＳの手のひら、指が接触センサ２２０ａ、２２０ｂ、２２０ｃ、２２０ｄに接触する。従って、３ヶ所以上の接触センサ２２０ａ、２２０ｂ、２２０ｃ、２２０ｄを略同時に接触したことが検出される。これに対して、カバンの中の物が、３ヶ所以上の異なる位置に設けられている接触センサ２２０ａ、２２０ｂ、２２０ｃ、２２０ｄに略同時に接触する可能性は極めて低い。従って、使用者ＯＢＳが意図しないような誤動作を低減できる。
【００３０】
さらに、本実施例では、本体部２１０の４つの側面に接触センサ２２０ａ、２２０ｂ、２２０ｃ、２２０ｄが設けられている。従って、使用者ＯＢＳが手探りの状態においても、携帯情報端末１００を把持した状態で３ヶ所以上の接触センサ２２０ａ、２２０ｂ、２２０ｃ、２２０ｄに手のひらの部分や指を容易に当接できる。このように、使用者ＯＢＳは、例えば、カバンの中やポケット内に納められている携帯情報端末１００を、視覚による確認を経ないで、手探りでマナーモードの設定操作ができる。本実施例では、上記実施例１と同様に、手のひらや指の接触の検出に加えて、所定値以上の圧力値で接触したことで特定の機能をＯＮしている。これにより、使用者ＯＢＳがマナーモードに設定するという意図を持って、ある程度の強さで本体部１１０を握ったときに機能をＯＮできる。このため、さらに誤動作を低減できる。
【００３１】
また、本実施例では、１種類の接触センサのみを用いれば良い。従って、携帯情報端末２００の構成を簡素化できる。なお、本実施例では、接触センサ２２０ａ、２２０ｂ、２２０ｃ、２２０ｄに接触することで、マナーモード機能をＯＮにしている。しかしこれに限られず、接触センサ２２０ａ、２２０ｂ、２２０ｃ、２２０ｄに接触することで、特定の機能を解除する構成、例えばマナーモードをＯＦＦする構成でも良い。
【００３２】
（変形例）
次に、図６、図７を用いて本実施例の変形例について説明する。上記実施例２では、特定の機能としてマナーモードの機能のＯＮ、ＯＦＦを例に説明している。本変形例では、特定の機能として、携帯電話機の音量の大きさを調整する。本変形例では、使用者ＯＢＳが本体部２１０を握る力に応じて、制御部（不図示）は音量の大きさを変化させる。図６は、使用者ＯＢＳが右手ＲＨで携帯情報端末２００を把持している状態を示す。また、図７は、使用者ＯＢＳが左手ＬＨで携帯情報端末２００を把持している状態を示す。
【００３３】
使用者ＯＢＳは、図６、図７のいずれの把持状態においても、親指と、他の４本の指と、手のひらとで、少なくとも３ヶ所の接触センサ２２０ａ、２２０ｂ、２２０ｃに触ることができる。図４のフローチャートで説明したように、接触センサ２２０ａ、２２０ｂ、２２０ｃに接触した圧力値を検出する。ここで、制御部（不図示）は、使用者ＯＢＳが本体部２１０を握る圧力値に応じて、音量の大きさを調整する。
【００３４】
本変形例によれば、使用者ＯＢＳは、携帯情報端末２００を把持した状態において、本体部２１０を所望の強さで握るという簡易な操作で、音量の大きさを調整できる。このように、携帯情報端末２００を把持した状態で、単に本体部２１０を握るという動作で良い。このため、誤動作を低減できる。
【実施例３】
【００３５】
図８−１、図８−２は、本発明の実施例３に係る携帯情報端末３００の斜視構成を示す。本実施例の携帯情報端末３００は、いわゆる折り畳みタイプの携帯電話機である。携帯情報端末３００は、本体部３１０と、液晶画面部３０２とを有する。液晶画面部３０２は、光学素子に対応する。さらに、携帯情報端末３００は、テンキー１３０を備えている。
【００３６】
携帯情報端末３００の本体部３１０は、４つの側面を備える略直方体形状を有している。また、光学素子枠体３３０は、液晶画面部３０２を保持する。光学素子枠体３３０は、４つの側面を備える略直方体形状を有している。そして、本体部３１０の４つの側面には、それぞれ接触センサ３２０ａ、３２０ｂ、３２０ｃ、３２０ｄが設けられている。また、光学素子枠体３３０の４つの側面には、それぞれ接触センサ３２１ａ、３２１ｂ、３２１ｃ、３２１ｄが設けられている。
【００３７】
図８−３は、携帯情報端末３００を光学素子枠体３３０側から見た上面図である。光学素子枠体３３０の４つの側面に設けられている接触センサ３２１ａ、３２１ｂ、３２１ｃ、３２１ｄは、それぞれ側面よりも所定深さだけ低い領域に設けられている。また、図示しないが、同様に、本体部３１０の４つの側面に設けられている接触センサ３２０ａ、３２０ｂ、３２０ｃ、３２０ｄは、それぞれ側面よりも所定深さだけ低い領域に設けられている。
【００３８】
接触センサ３２０ａ〜３２０ｄ、３２１ａ〜３２１ｄは、使用者ＯＢＳが手のひらや指で携帯情報端末３００を触ったことを検出する。このとき、帯状の接触センサ３２０ａ〜３２０ｄ、３２１ａ〜３２１ｄのそれぞれの全体の領域に接触する必要はない。例えば、帯状の接触センサ３２０ａのいずれかの部分に手のひらや指が接触すれば良い。さらに、使用者ＯＢＳが３ヶ所以上の接触センサを略同時に接触したとき、携帯情報端末３００の特定の機能を動作させるように構成されている。
【００３９】
使用者ＯＢＳが、携帯情報端末３００をカバンの中に納めている状態を考える。このとき、通常、折り畳んだ状態、即ち、本体部３１０と光学素子枠体３３０とを略密着させる閉じた状態である。そして、使用者ＯＢＳが携帯情報端末３００をマナーモードに設定したいときは、手探りの状態で携帯情報端末３００の本体部２１０や光学素子枠体３３０を所定の強さで握る動作を行なう。これにより、使用者ＯＢＳの手のひら、指が接触センサ３２０ａ〜３２０ｄ、３２１ａ〜３２１ｄに接触する。従って、３ヶ所以上の接触センサ３２０ａ〜３２０ｄ、３２１ａ〜３２１ｄを略同時に接触したことが検出される。ここで、カバンの中の物が、３ヶ所以上の異なる位置に設けられている接触センサ３２０ａ〜３２０ｄ、３２１ａ〜３２１ｄに略同時に接触する可能性は極めて低い。従って、使用者ＯＢＳが意図しないような誤動作を低減できる。
【００４０】
さらに、本実施例では、本体部２１０の４つの側面に加えて、光学素子枠体３３０の４つの側面にも接触センサ３２１ａ、３２１ｂ、３２１ｃ、３２１ｄが設けられている。従って、使用者ＯＢＳが手探りの状態においても、携帯情報端末３００を把持した状態で３ヶ所以上の接触センサ３２０ａ〜３２０ｄ、３２１ａ〜３２１ｄに手のひらの部分や指を容易に当接できる。このように、使用者ＯＢＳは、例えば、カバンの中やポケット内に納められている携帯情報端末３００を、視覚による確認を経ないで、手探りでマナーモードの設定操作ができる。
【００４１】
さらに好ましくは、上記実施例１と同様に、手のひらや指の接触の検出に加えて、所定値以上の圧力値で接触したことで特定の機能をＯＮすることが望ましい。これにより、使用者ＯＢＳがマナーモードに設定するという意図を持って、ある程度の強さで本体部３１０、光学素子枠体３３０を握ったときに機能をＯＮできる。このため、さらに誤動作を低減できる。加えて、本実施例では、図８−３に示したように、接触センサ３２０ａ〜３２０ｄ、３２１ａ〜３２１ｄは、側面よりも所定深さだけ低い領域に設けられている。この結果、使用者ＯＢＳが意図しない状況において、３ヶ所以上の接触センサに物が接触することをさらに確実に減らすことができる。従って、誤動作をさらに確実に低減できる。
【実施例４】
【００４２】
図９−１は、本発明の実施例４に係る携帯情報端末４００の斜視構成を示す。本実施例の携帯情報端末４００は、折り畳みタイプの携帯電話機である。携帯情報端末４００は、本体部４１０と、液晶画面部４０２とを有する。液晶画面部４０２は、光学素子に対応する。光学素子枠体４３０は、液晶画面部４０２を保持する。さらに、本体部４１０は、テンキー１３０を備えている。
【００４３】
本体部４１０は、所定軸ＡＸの周りに回転対称な形状を所定軸ＡＸに略平行なｘｙ平面で切り取った形状を有している。例えば、本体部４１０は、ラグビーボール形状や玉子形状を、その回転対称軸に平行な平面で切り取った半球のような形状である。光学素子枠体４３０も、本体部４１０と略同一の形状を有する。図９−２は、携帯情報端末４００を折り畳んだ状態の構成を示す。図９−２で示すように、携帯情報端末４００は、閉じた状態では、ラグビーボール形状や玉子形状を有する。
【００４４】
本体部４１０の表面部分には、複数の輪帯状の接触センサ４２０ａ、４２０ｂが設けられている。光学素子枠体４３０にも、同様の輪帯状の接触センサ４２１ａ、４２１ｂが設けられている。接触センサ４２０ａ、４２０ｂ、４２１ａ、４２１ｂは、使用者ＯＢＳが所定割合以上の領域の接触センサ４２０ａ、４２０ｂ、４２１ａ、４２１ｂを略同時に接触したときに、携帯情報端末４００の特定の機能を動作させる。
【００４５】
閉じた状態の携帯情報端末４００をカバンの中に納めているときを考える。使用者ＯＢＳは、本体部４１０と光学素子枠体４３０とで形成される玉子形状の表面を把持する。ここで、上述のように、接触センサ４２０ａ、４２０ｂ、４２１ａ、４２１ｂは、接触センサの全体の領域に対する所定の割合以上の領域が略同時に指で接触されたとき、特定の機能、例えばマナーモードを動作させる。
【００４６】
また、携帯情報端末４００を把持したときに、手のひらや指が携帯情報端末４００の表面部分に接触する領域の大きさは使用者ＯＢＳにより異なる。例えば、手のひらが小さい子供よりも、手のひらが大きい大人のほうが、接触する面積が大きい。このため、接触センサ４２０ａ、４２０ｂ、４２１ａ、４２１ｂの所定の割合は、予め使用者ＯＢＳごとに最適な値に設定して携帯情報端末４００に登録しておくことが望ましい。
【００４７】
本実施例の構成によれば、例えば、カバンの中の物が、玉子形状の表面の所定割合以上の領域の接触センサ４２０ａ、４２０ｂ、４２１ａ、４２１ｂに略同時に接触する可能性は極めて低い。従って、使用者ＯＢＳが意図しないような誤動作を低減できる。また、使用者ＯＢＳは、手探りの状態においても、携帯情報端末４００を把持した状態で所定割合以上の領域の接触センサ４２０ａ、４２０ｂ、４２１ａ、４２１ｂに手のひらの部分や指を容易に当接できる。さらに、本実施例では、１種類の圧力センサのみを用いれば良い。従って、携帯情報端末４００の構成を簡素化できる。
【００４８】
さらに好ましくは、上記実施例１と同様に、手のひらや指の接触面積の検出に加えて、所定値以上の圧力値で接触したことで特定の機能をＯＮすることが望ましい。これにより、使用者ＯＢＳがマナーモードに設定するという意図を持って、ある程度の強さで本体部４１０、光学素子枠体４３０を握ったときに機能をＯＮできる。このため、さらに誤動作を低減できる。
【００４９】
なお、本実施例では、接触センサ４２０ａ、４２０ｂ、４２１ａ、４２１ｂに接触することで、マナーモード機能をＯＮにしている。しかしこれに限られず、接触センサ４２０ａ、４２０ｂ、４２１ａ、４２１ｂに接触することで、特定の機能を解除する構成、例えばマナーモードをＯＦＦする構成でも良い。
【００５０】
（変形例）
図９−３は、本実施例の変形例を示す。図９−３は、本変形例に係る携帯情報端末５００を閉じた状態の構成を示す。本変形例では、接触センサ５２０、５２１は、離散的に点在するように設けられている。このような構成によっても、輪帯状の接触センサと同様の効果を得ることができる。
【実施例５】
【００５１】
図１０は、本発明の実施例５に係る携帯情報端末６００の斜視構成を示す。上記実施例１と同一の部分には同一の符号を付し、重複する説明は省略する。携帯情報端末６００は、本体部６１０と、半透過光学素子１０２とを有する。半透過光学素子１０２は、ホログラム素子を用いることができる。さらに、本体部６１０は、電子情報表示部１０２を有する。電子情報表示部１０２は、光学素子に対応する。加えて、本体部６１０は、テンキー１３０を備えている。
【００５２】
半透過光学素子１０２は、観察物ＯＢＪからの光を透過し、電子情報表示部１０１からの光を使用者ＯＢＳの方向へ反射する。これにより、半透過光学素子１０２は、電子情報表示部１０１に表示された情報を観察物ＯＢＪの実視野に重畳的に表示する。このように、本実施例の携帯情報端末６００は、半球の玉子形状の本体部６１０を有するシースルービュアーである。使用者ＯＢＳは、携帯情報端末６００を用いて観察物ＯＢＪを観察する。
【００５３】
本体部６１０は、上記実施例４と同様の、ラグビーボール形状や玉子形状を、その回転対称軸に平行な平面で切り取った半球のような形状である。そして、本体部６１０には、輪帯状の接触センサ６２０ａ、６２０ｂが設けられている。
【００５４】
接触センサ６２０ａ、６２０ｂは、使用者ＯＢＳが所定割合以上の領域の接触センサ６２０ａ、６２０ｂを略同時に接触したときに、携帯情報端末６００の特定の機能を動作させる。
【００５５】
閉じた状態の携帯情報端末６００をカバンの中に納めているときを考える。使用者ＯＢＳは、本体部６１０の半球状の玉子形状の表面を把持する。ここで、上述のように、接触センサ６２０ａ、６２０ｂは、接触センサの全体の領域に対する所定の割合以上の領域が略同時に指で接触されたとき、特定の機能、例えばマナーモードを動作させる。
【００５６】
本実施例の構成によれば、例えば、カバンの中の物が、半球の玉子形状の表面の所定割合以上の領域の接触センサ６２０ａ、６２０ｂに略同時に接触する可能性は極めて低い。従って、使用者ＯＢＳが意図しないような誤動作を低減できる。また、使用者ＯＢＳは、手探りの状態においても、携帯情報端末６００を把持した状態で所定割合以上の領域の接触センサ６２０ａ、６２０ｂに手のひらの部分や指を容易に当接できる。さらに、本実施例では、１種類の圧力センサのみを用いれば良い。従って、携帯情報端末６００の構成を簡素化できる。
【００５７】
上記各実施例では、接触センサとして圧力センサを例に説明している。しかしこれに限られず、温度センサ静電容量センサなどを用いても良い。このように、本発明は、その趣旨を逸脱しない範囲で種々の変形例をとることができる。
【産業上の利用可能性】
【００５８】
以上のように、本発明に係る携帯情報端末は、簡易な構成で、誤動作を低減できる携帯電話機やシースルービュアーに有用である。
【図面の簡単な説明】
【００５９】
【図１】実施例１に係る携帯情報端末の概略構成を示す図である。
【図２−１】実施例１の携帯情報端末の斜視構成を示す図である。
【図２−２】実施例１の携帯情報端末の斜視構成を示す他の図である。
【図３−１】携帯情報端末の上面図である。
【図３−２】携帯情報端末の断面図である。
【図４】実施例１において特定の機能をＯＮする手順を示すフローチャートである。
【図５−１】実施例２の携帯情報端末の斜視構成を示す図である。
【図５−２】実施例２の携帯情報端末の斜視構成を示す他の図である。
【図６】実施例２の携帯情報端末の使用態様を示す図である。
【図７】実施例２の携帯情報端末の使用態様を示す他の図である。
【図８−１】実施例３の携帯情報端末の斜視構成を示す図である。
【図８−２】実施例３の携帯情報端末の斜視構成を示す他の図である。
【図８−３】実施例３の携帯情報端末の上面図である。
【図９−１】実施例４の携帯情報端末の斜視構成を示す図である。
【図９−２】実施例４の携帯情報端末を閉じた状態を示す図である。
【図９−３】実施例４の変形例の携帯情報端末を閉じた状態を示す図である。
【図１０】実施例５の携帯情報端末の斜視構成を示す図である。
【符号の説明】
【００６０】
１０１  電子情報表示部
１０２  半透過光学素子
１０４  撮像部
１１０  本体部
１２０ａ、１２０ｂ、１２０ｃ、１２０ｄ  接触センサ
１３０  テンキー
２００  携帯情報端末
２０２  液晶画面部
２１０  本体部
２２０ａ、２２０ｂ、２２０ｃ、２２０ｄ  接触センサ
３００  携帯情報端末
３０２  液晶画面部
３１０  本体部
３２０ａ、３２０ｂ、３２０ｃ、３２０ｄ  接触センサ
３２１ａ、３２１ｂ、３２１ｃ、３２１ｄ  接触センサ
３３０  光学素子枠体
４００  携帯情報端末
４０２  液晶画面部
４１０  本体部
４２０ａ、４２０ｂ、４２１ａ、４２１ｂ  接触センサ
４３０  光学素子枠体
５００  携帯情報端末
５２０、５２１  接触センサ
６００  携帯情報端末
６１０  本体部
６２０、６２１  接触センサ
ＯＢＳ  使用者
ＯＢＪ  観察物
【図１】
2006121571.tif 000003
【図２−１】
2006121571.tif 000004
【図２−２】
2006121571.tif 000005
【図３−１】
2006121571.tif 000006
【図３−２】
2006121571.tif 000007
【図４】
2006121571.tif 000008
【図５−１】
2006121571.tif 000009
【図５−２】
2006121571.tif 000010
【図６】
2006121571.tif 000011
【図７】
2006121571.tif 000012
【図８−１】
2006121571.tif 000013
【図８−２】
2006121571.tif 000014
【図８−３】
2006121571.tif 000015
【図９−１】
2006121571.tif 000016
【図９−２】
2006121571.tif 000017
【図９−３】
2006121571.tif 000018
【図１０】
2006121571.tif 000019